(57)【要約】【課題】  容易かつ経済的に実現しかつ使用でき、モータサイクリスト用の顎ガードをヘルメットのシェルに着脱自在に固定でき、さらに引張および衝撃耐性試験を通過できる特性を有する固定装置の提供。【解決手段】  顎ガード1を作動位置に挿入した後に、ガイド2,4の往復運動により、顎ガード1とヘルメットの2つの面に相互に作用するパーツをスナップ式に着脱しうるようになっており、ヘルメットの各側面に、可動で、かつリターンスプリング9の作用を受け、更にユーザーによって開放することが可能である、顎ガードに付属のフック3aと、ヘルメットに付属のフック5を備え、前記リターンスプリング9の作用を受けるフック5は、金属製であることを特徴とする、モータサイクリスト用のヘルメット顎ガード1の着脱式固定装置。【選択図】図1
2010126871.tif 000002
【特許請求の範囲】
【請求項１】
顎ガード（1）を作動位置に挿入した後、ガイド（2）（4）の往復運動により、顎ガード（1）とヘルメットの2つの面に作用するパーツを、スナップ式に着脱可能とした固定装置であって、ヘルメットの各側面に、可動で、かつリターンスプリング（9）の作用を受け、更にユーザーによって開放することが可能である、顎ガードに付属の固定フック（3a）と、ヘルメットに付属の可動フック（5）とを備える装置において、
少なくとも前記リターンスプリング（9）の作用を受ける可動フック（5）は、金属製であることを特徴とする、モータサイクリスト用のヘルメット顎ガード（1）の着脱式固定装置。
【請求項２】
リターンスプリング（9）の作用を受ける可動フック（5）は、ヘルメットに取り付けられていることを特徴とする、請求項1に記載の器具。
【請求項３】
可動フック（5）は、ダイキャストアルミニウム製であることを特徴とする、請求項1または2に記載の装置。
【請求項４】
可動フック（5）は、固定フック（3a）の当接面（12）に、摩擦によって係止されるか、または一体となった、少なくとも1つの面を有することを特徴とする、請求項1または2に記載の装置。
【請求項５】
2つのフック（3a）（5）は、作動位置で、顎ガードの挿入方向に対して実質的に直交する、相互に支え合う面を有することを特徴とする、請求項1または2に記載の装置。
【請求項６】
2つのフック（3a）（5）は、作動位置で、固定フック（3a）の基部から、顎ガードの自由端に向けて傾いて、相互に支え合う面を有することを特徴とする、請求項1または2に記載の装置。
【請求項７】
顎ガード（1）とシェルとの間を滑動するガイド部材（2）（4）が、少なくとも対応するフック（3a）（5）の位置まで延びていることを特徴とする、請求項1〜6いずれか1項に記載の装置。
【請求項８】
相互に支え合う面で結合されているフック（3a）（5）の隙間を最小とし、ガイド部材（2）（4）が、滑動方向に対して直交する隙間が最小限であり、かつ相互に滑動するように寸法が合わせられていることを特徴とする、請求項5に記載の装置。
【請求項９】
結合面に対して直交する方向の隙間を防ぐように、組み合わされた状態で、顎ガードの端をシェルの内部に保つ手段を有することを特徴とする、請求項1〜8のいずれか1項に記載の装置。
【発明の詳細な説明】
【技術分野】
【０００１】
本発明は、モータサイクリスト用のヘルメット顎ガードの着脱可能な固定装置に関する。
【背景技術】
【０００２】
オートバイを始め、スポーツ全般や作業の際に使用されるヘルメットは、ユーザーの頭部を保護することが必要であり、ヘルメットはますます申し分のないものとなりつつあるが、あらゆる場面においてその性能を発揮しうるように、厳重な規則に適合することが求められている。
【０００３】
特にオートバイ用に設計されたヘルメットには、ユーザーの顎を保護するために、アーチ形の要素から成り、顎ガードと称され、ヘルメットシェルに取り外し可能に取り付けられる付加的な保護材を備えるものもある。
【０００４】
顎ガードは、圧縮と衝撃に対する試験に合格しなければならず、最近は、静的引張試験と動的衝撃試験の両方に合格することを必要とする規則が導入されつつある。例をあげると、オートバイ用のヘルメットの閉じた状態での強度を調べるために、最初に、少なくとも5kgの負荷を加え、次いで、最低75cmの高さから、少なくとも10kgの重りを落下させて、破壊の有無を調べるという試験がある。
【０００５】
耐圧縮試験に加えて、特定の試験に合格することを要求することは、ヘルメットの一般的な保護の性能の増大とともに、顎ガードが容易かつ偶発的に外れて、ヘルメットが転がってしまうという危険性無しに、ヘルメットを輸送したり、顎ガードを掴んで、ヘルメットを持運ぶという機能的要求を満たすために必要である。
【０００６】
これらの引張試験を合格することが必要なことから、相互に対応するガイドにより顎ガードを挿入し、通常は顎ガードとシェルの両側面に作用するスナップ式のパーツにより操作される、シェルへの顎ガードの固定装置が必要になる。より詳細に述べると、顎ガードに付属するフックと、シェルに付属するフックは、シェルの各側面に設けられ、2つのフックのうちの1つは、ユーザーの操作とスナップ式の2つのパーツの相互の挿入による動きによって開放可能なリターンスプリングの動きに従属する。
【０００７】
このような顎ガードの例は、次の特許文献に記載されている。特許文献1には、アーチ状のガイド上を滑動し、弾性的に取り付けられたピンの挿入により異なる位置で固定可能な顎ガードが示されている。特許文献2には、顎ガードに、特にシェルの外側に適合するハウジングへのフックの挿入による、別の結合手段が示されている（図10,図11,および図12）。特許文献3には、顎ガードが、シェルに取り付けられたフックと連係するピンを呈することが示されている。特許文献4には、顎ガードとシェルが、顎ガードを嵌める方向に相互に嵌入可能なパーツを有し、それらの一方が、スプリングの動きを受けるフックを運ぶことが示されている。特許文献5には、顎ガードが、シェル内に固定されたピンと連係するフックを運ぶ顎ガードが示されている。
【０００８】
全ての場合において、ヘルメットのシェルに顎ガードを結合させる手段は、ヘルメットを可能な限り軽くするために、プラスチック素材から成っている。
【０００９】
これらの例は、全て、顎ガードを簡単に嵌められるようにすること、最終的には、十分な引張および衝撃耐性のみを有するか、またはフルフェースからジェット形態に変える際の顎ガードの取り外しを可能にし、さらに、頭部にヘルメットを着用すること、および/または頭部からヘルメットを取り外すための補助とすることを目的として設計されている。
【００１０】
従来、そのような固定装置を提供するに際し、取り外し方向、および/または他の水平方向の引張および衝撃耐性を考慮したものは無かった。
【先行技術文献】
【特許文献】
【００１１】
【特許文献１】オーストリア特許公開第３８７１３４号明細書
【特許文献２】ドイツ特許第１０１０８４５８号明細書
【特許文献３】ドイツ特許第１０２４０７４４号明細書
【特許文献４】欧州特許公開第９７２８５号明細書
【特許文献５】欧州特許公開第１８０３３６１号明細書
【発明の概要】
【発明が解決しようとする課題】
【００１２】
本発明の目的は、容易かつ経済的に提供し、かつ使用することができるモータサイクリスト用の顎ガードであって、ヘルメットのシェルに着脱自在に固定することができ、さらに引張および衝撃耐性試験に合格しうる性能を有する固定装置を提供することである。
【課題を解決するための手段】
【００１３】
本発明によると、前記した主な目的は、請求項で定義した装置により達成される。
【図面の簡単な説明】
【００１４】
【図１】着脱可能な顎ガードを取り外した状態で示すヘルメットの4分の3前方斜視図。
【図２】着脱可能な顎ガードを取り付けた状態で示すヘルメットの4分の3前方斜視図。
【図３】取り外した状態の着脱可能な顎ガード部分と、対応するヘルメットシェルに収容された着脱可能な固定装置の各部材の細部を示す詳細図。
【図４】結合した位置での着脱可能な顎ガード部分と、対応するヘルメットシェルに固定された着脱可能な固定装置の各部材の細部を示す詳細図。
【発明を実施するための形態】
【００１５】
装置の別の特徴を、図示の好ましい実施形態を参照して説明する。
【００１６】
図を参照して、本発明の好ましい実施形態について説明する。この固定装置は、ヘルメットにおける取り外すことのできる顎ガードで、スナップ式に着脱可能なものである。
【００１７】
この固定装置は、引張圧力、圧縮圧力、および衝撃のいずれにも耐えることのできるヘルメットと顎ガードとを、安定よく結合させることを目的としている。これは、好ましい弾性特性を有する変形可能な展伸材から成る保護カバーとなっており、通常の吸収手段の補助によっても保護されるものである。
【００１８】
ここで説明する固定装置は、ヘルメットの両側面に、図示しない適宜の結合手段（例えばネジとナット、または異なるタイプの結合要素など）により、ヘルメットシェルと一体になっているか、これに取り付けられている1つの支持板11を備え、支持板11は、平行ガイド4と同様に、それに回転可能に取り付けられた可動フック5を有し、かつ2つの補完的で平行な、顎ガード1の両端におけるスライド面2を案内しうるようになっている。
【００１９】
各支持板11における可動フック5は、以下の説明で明らかになるように、顎ガード1をヘルメットシェルに嵌めた時に、顎ガード1の端に設けられた固定フック3aとかみ合った位置で、可動フック5の付勢を目的とするリターンスプリング9の作用を受ける。
【００２０】
平行ガイド4は、対応するスライド面2のレールとなっており、顎ガード1の端部が、ヘルメットのシェルに対して、平行ガイド4で定められる方向に動くことができるようになっている。
【００２１】
各支持板11には、顎ガード1の対応する端のための、2つの平行ガイド4で定められる方向に対して直交する、ストッパを設けることもある。すなわち、支持板11が取り付けられたヘルメットシェルには、支持板11を、顎ガード1の対応する端に係止させるためのリミットストッパが設けられることとなる。
【００２２】
顎ガード1の各端は、既に述べたように、前記スライド面2と、この例では、突起状の可動フック5の収容部3を有する固定フック3aとを備えている。
【００２３】
より詳細に述べると、可動フック5は、顎ガード1の対応する端の収容部3と係合しうるようになっている結合ヘッド7を有し、固定フック3aは、可動フック5における結合ヘッド7と実質的に補完する形を有している。
【００２４】
さらに、顎ガード1の収容部3は、可動フック5の結合ヘッド7がブロック位置（可動フック5と固定フック3aが係合した位置）から、開放位置（可動フック5の結合ヘッド7と固定フック3aとが解除された位置）まで動くのに充分な空間を有している。
【００２５】
前記ブロック位置で、固定フック3aの当接面12に、可動フック5の結合ヘッド7の対応する面（図面では示されていない）が当接するようになっている。
【００２６】
この当接面12は、本発明の好ましい実施形態では、顎ガード1のスライド面2が滑動する平行ガイド4の方向とほぼ直交し、固定フック3aと可動フック5の当接面に沿っているか、または、図示のように、顎ガード1に向かって、上部を傾けて配置されている。
【００２７】
この平行ガイド4は、対応する可動フック5と固定フック3aが相互に係合する位置まで延びていることに着目されたい。
【００２８】
顎ガード1に設けられた固定フック3aと、支持板11に設けられた可動フック5とは、顎ガード1とシェルとの間の隙間が最小になるように配置されている。
【００２９】
図示する本発明の特定の形態では、支持板11における可動フック5は、一方のアームの端が、前記結合ヘッド7になっており、他方のアームは、ヘルメットシェルから外部に突き出るようになっている作動ヘッド8（図1と図2に特に明瞭に示されている）であって、可動フック5は、2つのアームを有するレバーとなっている。2つのアームを有する可動フック5は、支持板11上に、可動フック5の支点となるピン6で枢支されている。
【００３０】
このようにして、可動フック5は、支持板11から突き出ているピン6に枢支され、可動フック5が、支持板11から軸方向に外れないように、リベット10または他の機械的軸方向保持手段により保持されている。
【００３１】
既に述べたように、可動フック5は、結合ヘッド7が顎ガード1の対応する端のハウジング3の中にある場合、固定フック3aと係合した位置で、ここで述べる特定の形態では、ワイヤスプリングであり、結合ヘッド7と支持板11にわたって保持された反対側のチェッキング要素の間を移動した、リターンスプリング9により付勢される（図3と4参照）。
【００３２】
ピン6は、図示のように、リターンスプリング9により働くトルクに対して反対方向に作用するトルク（モーメント）と、顎ガード1に作用する牽引力による上昇を、減少させるか、または無くするように設置されていることが望ましい。
【００３３】
すなわち、ここに示す本発明の特定の形態では、ピン6のベースは、その軸称と直交する、固定フック3aの前記当接面12を通過する直線上にある。
【００３４】
通常はプラスチック素材から成る可動フック5は、固定フック3aと接触する際の抵抗と摩擦を実現するには、金属材からなることが望ましく、特にダイキャストアルミニウムからなることが望ましい。
【００３５】
本発明の代替的な実施形態として、図示は省略するが、固定フック3aが、少なくとも部分的に、金属材料から成るか、または、固定フック3aと可動フック5の両方とも、例えばアルミニウムなどの金属から成る場合が考えられる。
【００３６】
最後に、可動フック5の結合ヘッド7と、顎ガード1の対応する端の両方とも、顎ガード1の挿入の間、顎ガード1のスライド面2により、ユーザーによる同じ可動フック5の作動ヘッド8の起動なしで、平行ガイド4に沿って、固定フック3aに固定された可動フック5の係合/ブロック段階が生じるように、形成されるのが好ましい。
【００３７】
対応するピン6のまわりを旋回する可動フック5は、顎ガード1の端が、ストップに近接するか、または到達したときに、顎ガード1をヘルメットシェルに結合するように設計されている。
【００３８】
顎ガード1の各端は、そのスライド面2により、対応するプレート11のガイド4を前進し、前記リミットストップに到達したときに、ブロック位置に達する。
【００３９】
この位置では、顎ガード1は、固定フック3aに接するピン6上に支点を有する、顎ガード1の端のハウジング3に嵌る可動フック5の結合ヘッド7によりブロックされる。
【００４０】
ブロックされた状態では、可動フック5の位置は、リターンスプリング9により保持され、当接面12において、固定フック3aと結合ヘッド7が、係合している状態が保たれる。
【００４１】
着脱可能なこの固定装置は、顎ガード1を挿入してブロックした後、顎ガード1の各端で、ユーザーによる可動フック5の作動ヘッド8の操作により、リターンスプリング9の力によってクランプする力に打ち勝つトルクが作り出され、それにより、可動フック5、またはより対応する結合ヘッド7が、顎ガード1の端の収容部3の固定フック3aから外れ、ブロックが解除される。このようにして、顎ガード1は、開放されるまで、対応する平行ガイド4に沿って自由に移動できるようになる。
【００４２】
この実施形態によると、引張下で、フックの動きを減少させる範囲で、ガイド2,4と、可動フック5と顎ガード1の間の摩擦を増加させるような粗さを有する表面を有する可動フック5により、顎ガードガイドに対して横断する方向の圧力を吸収することができる。このような横断方向の動きは、ガイド（図示していない）を追加し、かつシェル構造を適切な形状とすることによっても制限することができる。
【００４３】
例えば、この面を横断する圧力が加えられている間、そこで生じる可能性のある変形に対応できるように、シェルに、支持板11のガイド4と平行であって、顎ガイド1の端の表面に隙間無く結合した、内側リブを設ける場合もある。
【００４４】
顎ガードは、前記リミットストッパにより、圧縮と、固定フック3aに作用する可動フック5による引張力との両方の圧力に耐えるように設計されていることは、注目されるべきである。
【００４５】
本発明による着脱可能な固定装置は、個別のパッケージとされる場合と、ヘルメットの全体または一部に取り付ける場合の両方がある。
【００４６】
上に述べた装置は、組み立てられた状態で顎ガードの端に位置する保持手段が、シェルの内部に取り付けられていることをも特徴としている。
【符号の説明】
【００４７】
1    顎ガード
2    スライド面
3    収容部
3a   固定フック
4    平行ガイド
5    可動フック
6    ピン
7    結合ヘッド
8    作動ヘッド
9    リターンスプリング
10   リベット
11   支持板
12   当接面
【図１】
2010126871.tif 000003
【図２】
2010126871.tif 000004
【図３】
2010126871.tif 000005
【図４】
2010126871.tif 000006